(57)【要約】  本発明は、プロセス室（８）内で素材粉末を層状に溶融させて成形体（２）とする装置に関する。装置は、層積み上げ造形用の支持体（１４）と、成形体（２）の、作成したい成形体層（７）に割り当てられた横断面領域に応じて、粉末に対して照射を行う照射装置（４０，４２）とを備えている。支持体（１４）上のその都度の量の素材粉末を均す平滑化スライダ（１５）を有する粉末層平坦化兼平滑化装置（１３）と、プロセス煙を吸い出す吸引ノズル（３５）を有する吸い出し装置とが存在している。吸引ノズル（３５）は、プロセス室（８）内でモータにより可動である。吸引ノズル（３５）は、平滑化スライダ（１５）に連動するように連結されており、連動中、吸引運転で運転可能であり、照射装置（４０，４２）は、粉末に対して照射を行うべく作動している。
2021515101.tif 000002
【特許請求の範囲】
【請求項１】
プロセス室（８）内で粉末状の特に金属またはセラミックの素材（４）を層状に積み上げて造形することで成形体（２）を製造する装置であって、
プロセス制御装置（５）と、
層積み上げ造形用の支持体（１４）と、
前記支持体（１４）上にその都度目下最上位に準備された素材粉末層（７）に対して、前記成形体（２）の、前記層（７）に割り当てられた横断面領域において、放射（２９）、特に集光されたレーザ放射を照射する照射装置（４０，４２）であって、前記放射（２９）は、前記素材粉末（４）を前記横断面領域で加熱により溶融または場合によっては焼結させる照射装置（４０，４２）と、
その都度追って照射すべき素材粉末層（７）を前記支持体（１４）上に準備する平坦化兼平滑化装置（１３）であって、素材粉末層（７）を形成すべく、前記支持体（１４）上のその都度の量の素材粉末（４）を均して平坦化する、モータにより可動の少なくとも１つの平滑化スライダ（１５）を有する平坦化兼平滑化装置（１３）と、
プロセス煙を前記プロセス室（８）から吸い出す吸引ノズル装置（３３）を有する吸い出し装置であって、前記吸引ノズル装置（３３）の少なくとも１つの吸引ノズル（３５）は、駆動装置（３４）により前記プロセス室（８）内で可動であり、前記吸引ノズル（３５）は、移動の際、前記照射装置（４０，４２）が、前記支持体（１４）上に目下準備されたそれぞれの前記素材粉末層（７）に対して照射を行うべく作動している間、吸引運転で運転可能である吸い出し装置と、
を備える、成形体（２）を製造する装置において、
前記プロセス室（８）内で可動の少なくとも１つの前記吸引ノズル（３５）は、前記平滑化スライダ（１５）に連動するように連結されており、前記吸引ノズル（３５）の前記駆動装置（３４）は、同時に、前記平滑化スライダ（１５）を移動させる前記平滑化スライダ（１５）の駆動装置でもある、
ことを特徴とする、成形体（２）を製造する装置。
【請求項２】
前記プロセス室（８）内で可動の少なくとも１つの前記吸引ノズル（３５）と、前記平滑化スライダ（１５）とは、１つの共通のフレーム（１８）を介して連結されており、好ましくは、前記駆動装置（３４）は、前記共通のフレーム（１８）を駆動することを特徴とする、請求項１記載の装置。
【請求項３】
前記平滑化スライダ（１５）は、変位装置により前記共通のフレーム（１８）に対して相対的に鉛直方向で変位可能であることを特徴とする、請求項２記載の装置。
【請求項４】
前記プロセス制御装置（５）は、プロセス制御モードにおいて、前記照射装置（４０，４２）の作業形式と、前記吸い出し装置の作業形式とを互いに調整して、プロセス煙を吸い出すために作動している前記吸引ノズル（３５）と、前記粉末層（７）の照射のその都度の目下の場所（２７）との間のその都度の間隔ができる限り小さく、所定の最大値を超過しないように構成されていることを特徴とする、請求項１から３までのいずれか１項記載の装置。
【請求項５】
少なくとも１つの前記吸引ノズル（３５）は、可動でフレキシブルな管路（３６）または／およびテレスコピック管路を介して前記吸い出し装置の外部の吸引源に接続されていることを特徴とする、請求項１から４までのいずれか１項記載の装置。
【請求項６】
少なくとも１つの前記吸引ノズル（３５）は、前記支持体（１４）の幅に少なくとも略相当する幅を有するワイドノズル形状を呈することを特徴とする、請求項１から５までのいずれか１項記載の装置。
【請求項７】
前記吸引ノズル（３５）は、前記平滑化スライダ（１５）が前記支持体（１４）上をその都度の量の素材粉末（４）を均して平坦化すべく移動するとき、最後に照射される前記層にわたって前記平滑化スライダ（１５）に付き従うように配置されていることを特徴とする、請求項１から６までのいずれか１項記載の装置。
【請求項８】
前記吸引ノズル（３５）は、前記平滑化スライダ（１５）が停止状態でも吸引運転で運転可能であることを特徴とする、請求項１から７までのいずれか１項記載の装置。
【請求項９】
前記平滑化スライダ（１５）は、前記支持体にわたっての水平の第１の方向での移動時も、前記支持体（１４）にわたっての前記第１の方向とは反対の方向での移動時も、その都度の量の素材粉末（４）を均して平坦化すべく運転可能であるように構成されており、前記吸引ノズル装置（３３）も、吸い出し運転中、前記平滑化スライダ（１５）の移動方向によらず運転可能であるように構成されていることを特徴とする、請求項１から８までのいずれか１項記載の装置。
【請求項１０】
前記平滑化スライダ（１５）は、様々な平滑化スライダ要素（２０，２２，２４）、すなわち、均して平坦化する運転時の前記平滑化スライダ（１５）の移動方向で相次いで、少なくとも１つのブラシ要素（２０）と、少なくとも１つのブレード要素（２２）と、略平らな水平の下側の払拭面を有する少なくとも１つのゴム状の要素（２４）とを有することを特徴とする、請求項１から９までのいずれか１項記載の装置。
【請求項１１】
前記平滑化スライダ要素（２０，２２，２４）は、それぞれ２つ組に少なくとも略対称的な配置で前記平滑化スライダ（１５）に設けられており、少なくとも１つの前記吸引ノズル（３５）に対しては、この吸引ノズル（３５）に対して少なくとも略対称的な配置で少なくとも１つの別の吸引ノズル（３５）が設けられていることを特徴とする、請求項１０記載の装置。
【請求項１２】
前記平滑化スライダ（１５）および少なくとも１つの前記吸引ノズル（３５）には、粉末放出装置（１７）が連動するように連結されており、前記平滑化スライダ（１５）および前記吸引ノズル（３５）の前記駆動装置（３４）は、同時に、前記粉末放出装置（１７）を移動させる前記粉末放出装置（１７）の駆動装置でもあることを特徴とする、請求項１から１１までのいずれか１項記載の装置。
【請求項１３】
前記粉末放出装置（１７）は、少なくとも１つの前記吸引ノズル（３５）および前記平滑化スライダ（１５）に前記共通のフレーム（１８）を介して連結されていることを特徴とする、請求項２を直接的または間接的に引用する請求項１２記載の装置。
【請求項１４】
前記粉末放出装置（１７）は、前記平滑化スライダとともに前記変位装置により前記共通のフレーム（１８）に対して相対的に鉛直方向で変位可能であることを特徴とする、請求項３を直接的または間接的に引用する請求項１３記載の装置。
【請求項１５】
前記対称的な配置は、前記粉末放出装置（１７）に関して対称であり、かつ／または前記粉末放出装置（１７）は、平面図で見て、対称である２つ組に前記平滑化スライダ（１５）に設けられた前記平滑化スライダ要素（２０，２２，２４）の対称軸線に接し、かつ／または前記粉末放出装置（１７）は、前記平滑化スライダ要素（２０，２２，２４）間の中央にあることを特徴とする、請求項１１を直接的または間接的に引用する請求項１２、１３または１４記載の装置。
【請求項１６】
前記プロセス室（８）内にシールドガス雰囲気を発生させる装置を備えることを特徴とする、請求項１から１５までのいずれか１項記載の装置。
【請求項１７】
可動の前記吸引ノズル（３５）には、溶融飛散物用の受け板（４７）が連結されており、前記受け板（４７）は、前記吸引ノズル（３５）の下で吸引ノズル（３５）を越えて外側に向かって突出していることを特徴とする、請求項１から１６までのいずれか１項記載の装置。
【請求項１８】
前記照射装置（４０，４２）は、前記プロセス制御装置（５）により制御可能な複数の照射サブシステム（１４２ａ〜１４２ｄ）を有し、前記照射サブシステム（１４２ａ〜１４２ｄ）は、その都度目下照射すべき前記素材粉末層（７）の様々な箇所で素材粉末を場所選択的に溶融させるべく、同時に運転可能であることを特徴とする、請求項１から１７までのいずれか１項記載の装置。
【請求項１９】
前記吸引ノズル装置（３３）の近傍にイメージセンサ装置（４８）が配置され、前記吸引ノズル装置（３３）とともに可動であり、前記イメージセンサ装置（４８）は、それぞれの溶融領域（２７）を画像として検出するように運転可能であることを特徴とする、請求項１から１８までのいずれか１項記載の装置。
【請求項２０】
前記吸引ノズル装置（３３）の近傍に放射加熱装置が配置され、前記吸引ノズル装置（３３）とともに可動であり、前記放射加熱装置は、前記素材粉末（４）をそれぞれの溶融領域（２７）で加熱するように運転可能であることを特徴とする、請求項１から１９までのいずれか１項記載の装置。
【請求項２１】
少なくとも１つのシールドガスブローノズル（５２）を有する、前記プロセス室（８ａ）内でモータにより可動のシールドガス吹き込み装置（５０）をさらに備えることを特徴とする、請求項１から２０までのいずれか１項記載の装置。
【請求項２２】
前記シールドガス吹き込み装置（５０）は、前記吸引ノズル装置（３３ａ）に連動するように連結されていることを特徴とする、請求項２１記載の装置。
【請求項２３】
少なくとも１つの前記シールドガスブローノズル（５２）は、前記吸引ノズル装置（３３ａ）の少なくとも１つの前記吸引ノズル（３１ａ）に向けられていることを特徴とする、請求項２１または２２記載の装置。
【発明の詳細な説明】
【技術分野】
【０００１】
本発明は、プロセス室内で粉末状の特に金属またはセラミックの素材を層状に積み上げて造形することで成形体を製造する装置であって、
プロセス制御装置と、
層積み上げ造形用の支持体と、
支持体上にその都度目下最上位に準備された素材粉末層に対して、成形体の、この層に割り当てられた横断面領域において、放射、特に集光されたレーザ放射を照射する照射装置であって、放射は、素材粉末をこの横断面領域で加熱により溶融または場合によっては焼結させる照射装置と、
その都度追って照射すべき素材粉末層を支持体上に準備する平坦化兼平滑化装置であって、素材粉末層を形成すべく、支持体上のその都度の量の素材粉末を均して平坦化する、モータにより可動の少なくとも１つの平滑化スライダを有する平坦化兼平滑化装置と、
プロセス煙をプロセス室から吸い出す吸引ノズル装置を有する吸い出し装置であって、吸引ノズル装置の少なくとも１つの吸引ノズルは、駆動装置によりプロセス室内で可動であり、吸引ノズルは、移動の際、照射装置が、支持体上に目下準備されたそれぞれの素材粉末層に対して照射を行うべく作動している間、吸引運転で運転可能である吸い出し装置と、
を備える、成形体を製造する装置に関する。
【０００２】
本発明は、特に選択的レーザ溶融の分野に関し、方法に関しても、装置に関しても、例えば国際公開第２０１０／０６８３２７号、独国特許出願公開第１９９０５０６７号明細書、独国特許出願公開第１０１１２５９１号明細書、国際公開第９８／２４５７４号、国際公開第２００６／０２４３７３号、国際公開第２０１７／０８４７８１号および独国特許出願公開第１０２００６０１４８３５号明細書に記載されているような技術から出発する。
【０００３】
選択的レーザ溶融、選択的粉末溶融、選択的レーザ焼結等の概念の下、最近、物品（その幾何学形状が比較的複雑であっても）を製造する性能の高い方法が公知となっており、しばしば「ラピッドプロトタイピング（Rapid Prototyping）」または「ラピッドマニュファクチャリング（Rapid Manufacturing）」または「３Ｄプリント」という概念の下にまとめられる方法は、実質的に以下の原理に基づいている：
製造したい物品は、描写データ、例えばＣＡＤデータあるいはそこから導き出される幾何学的な描写データにしたがい細粒の粉末の原材料からプロセス室内で支持体上に、この原材料が、物品の、それぞれの層に割り当てられた横断面パターンに応じて場所選択的な照射により固化あるいは溶融されることで、層状に積み上げられて造形される。照射は、普通、レーザ放射により実施され、照射装置の、レーザビームを偏向させるビーム偏向装置の制御は、制御装置により、製造したい物品の、該当する幾何学的な描写データに基づいて実施される。制御情報は、通常、マイクロコンピュータにより処理され、準備される。
【０００４】
レーザビームは、粉末からなる、支持体上に目下最上位に準備された原材料層上に、物品の、この層に割り当てられた横断面パターンを描画し、これにより、原材料を横断面パターンに応じて選択的に溶融させることができる。その後、通常は、最後に照射により選択的かつ部分的に溶融された層上において次なる素材粉末層の準備を開始し、続いて再び照射工程を前述のように実施する。物品は、これにより層の繰り返しにより生じ、物品の、相次いで製造される横断面層は、互いに固着するように互いに溶融される。粉末材料として考えられるのは、種々の金属および合金であり、その例は、鋼、チタン、金、タンタル、アルミニウム、インコネル等である。セラミックの素材粉末も、選択的レーザ溶融の場合、使用可能である。さらに選択的レーザ溶融法により、物品の考え得る略すべての形状が作製可能であり、これにより、選択的レーザ溶融法は、複雑な形状、機械要素、プロテーゼ、装飾品等の製造に好適である。
【０００５】
ビーム源あるいはビーム偏向装置に対して相対的な層位のその都度の調整は、普通、その上に物品が層状に積み上げられて造形される支持体を形成するプラットフォームを相応に下降させることで実施される。選択的レーザ溶融の場合、使用される素材粉末の照射は、特に酸化効果を抑制するために、通常はシールドガス雰囲気下、例えばアルゴン雰囲気下で実施される。選択的レーザ溶融法の実施中、プロセス室を連続的にシールドガスでパージすることが公知である。パージは、プロセス室の一方の側でシールドガスを入れ、プロセス室ハウジングの対向する側でシールドガスを程よく再び吸い出すことで行われる。吸い出されたシールドガスは、回路内で、場合によっては濾過した後、プロセス室に再び供給され得る。
【０００６】
照射により素材粉末を溶融させると、運転条件に応じて程度の差こそあれプロセス煙が蒸発効果により生じる。従来技術の該当する装置の場合、プロセス煙は、プロセス室内で立ち上り、少なくとも部分的にプロセス室内壁、特にプロセス室天井と、プロセス室内に存在するその他の面とに凝縮物として結露してしまう。プロセス室と、プロセス室内に存在する設備とは、これにより凝縮物が堆積することで徐々に汚れていく。このことは、照射装置のコンポーネント、例えば窓、レンズ等にもいえる。照射装置のこのようなコンポーネントの汚損は、放射の一部が凝縮物材料により吸収され、ひいては素材粉末の溶融に供されないことに繋がってしまう。さらに、このとき、望ましくない加熱効果が、光学式の照射装置の該当するコンポーネントにおいて吸収により発生してしまうことがある。煙ガスは、レーザビームの光路内でレーザビームを不都合に散乱させてしまうあるいは吸収してしまうこともある。
【０００７】
特定の素材粉末、特にチタン粉末を溶融させたときに生じるプロセス煙は、プロセス室内において当初シールドガス雰囲気で堆積されたその凝縮物が、後に空気と接触したときに高い反応性を示し、臨界的な量が集積すると、自然に自己着火あるいは炎形成する傾向を示してしまうことがある。
【０００８】
素材粉末を溶融させると、通常、火花飛散も生じ、その結果、溶融飛散物は、対策を講じない限り、場合によっては、溶融されて既に繋ぎ合わされた面領域をなす粉末および／またはプロセス室の壁もしくはプロセス室内に存在する機器類に降下し、そこに固体粒子として不都合に付着してしまうことがある。
【０００９】
欧州特許第１８３９７８１号明細書において、プロセス室内の都合の悪い箇所で煙ガスが結露してしまうのを回避する策を講じた、粉末状の素材を層状に積み上げて造形することで物品を製造する装置が記載されている。この策は、シールドガス圧送装置を用いてプロセス室を通してシールドガスを導くことを含み、シールドガス圧送装置は、造形エリアと、プロセス室ハウジングの、造形エリアに上方にて対向する側との間にシールドガス流動層の形で、プロセス煙をほとんど通さない分離域を発生させて維持する手段を有している。プロセス煙は、シールドガスとともにプロセス室から導き出され、フィルタステーションに供給され、その結果、シールドガスは、濾過後、場合によっては引き続き使用され得る。
【００１０】
技術的背景には、同じく、吸引装置と、プロセス室内でのガス形成を監視するセンサとを示す欧州特許出願公開第２４３１１１３号明細書、および新しい粉末層を形成する枠内で独立して可動の複数の工具を相次いで使用することを示す米国特許出願公開第２０１１／０２８５０６０号明細書も属している。
【００１１】
請求項１の上位概念部に応じた装置は、国際公開第２０１４／１９９１５０号において公知である。
【００１２】
本発明の課題は、柔軟な煙ガス排出コンセプトを有する冒頭で挙げた形態の装置を提供することである。
【００１３】
上記課題を解決すべく、請求項１記載の装置を提案する。有利な発展形は、従属請求項の対象である。
【００１４】
冒頭で挙げた形態の装置から出発して、本発明により、プロセス室内で可動の少なくとも１つの吸引ノズルが、平滑化スライダに連動するように連結されており、吸引ノズルの駆動装置が、同時に、平滑化スライダを移動させる平滑化スライダの駆動装置でもあることを提案する。
【００１５】
本発明により、可動の少なくとも１つの吸引ノズルは、平坦化兼平滑化装置の平滑化スライダに連動するように連結されており、その結果、吸引ノズルの駆動装置は、同時に平滑化スライダの駆動装置でもある。
【００１６】
好ましくは、吸引ノズルと平滑化スライダとは、１つの共通のフレームを介して互いに連結されている。好ましくは、駆動装置は、この共通のフレームを移動させる。さらに、この場合、平滑化スライダが、変位装置により共通のフレームに対して相対的に鉛直方向で変位可能である発展形も可能である。
【００１７】
本発明に係る装置によれば、吸い出し装置の吸引ノズルは、大抵の場合、それぞれ、粉末の只今の溶融の場所のまさに近傍に、ひいては煙ガスの源のまさに近傍に配置され得る。このことは、煙ガス、さらには溶融飛散物も、発生後直ちにその大部分を吸引ノズルにより捕集することができ、ひいてはプロセス室壁またはプロセス室内のその他のコンポーネントに積もる可能性はほとんどないことを意味する。
【００１８】
本発明の一構成によれば、可動の吸引ノズルには、溶融飛散物用の受け板が連結されており、受け板は、吸引ノズルの下の直接的な近傍で外側に向かって突出している。吸引ノズルは、多くの場合、溶融飛散物も受け板に向かって、そして受け板から吸い出すことが可能である。
【００１９】
プロセス制御装置は、好ましいプロセス制御モードにおいて、照射装置および平坦化兼平滑化装置ならびに吸い出し装置の作業形式を互いに調整して、プロセス煙を吸い出すために作動している吸引ノズルと、粉末層の照射のその都度の目下の場所との間のその都度の間隔ができる限り小さく、所定の最大値を超過しないように構成されている。最大値は、好ましくは３〜１５ｃｍの間にある。
【００２０】
好ましくは、本発明に係る装置も、プロセス室を通るシールドガス回路を運転中維持するシールドガスシステムを備えている。吸引ノズルは、シールドガス回路に接続されていてよく、その結果、煙ガスおよび場合によっては火花飛散凝縮物は、吸い出されるシールドガスとともにプロセス室から、そして好ましくは、濾過するためにフィルタシステムに供給される。粗いものを濾過するために、サイクロンフィルタが設けられていてもよい。
【００２１】
本発明の一実施の形態によれば、一方では、その都度の最上位の素材粉末層の準備の工程と、他方では、素材粉末層の場所選択的な照射および煙ガス吸い出しの工程とは、個別にかつ相前後して実施可能である。
【００２２】
本発明の一変化態様によれば、吸引ノズルと平滑化スライダとは、支持体上の造形エリアをなぞるようにして移動するとき、それぞれの機能を同時に移動中に実行することができ、すなわち、一方では、煙ガスを吸い出し、他方では、粉末を均して平坦化することができる。その間、照射装置は作用してもよく、これにより、平坦化兼平滑化装置により既に、それも直前に均された造形エリアの領域で素材粉末を溶融させることができる。これにより、この運転形式は、極めて効果的な煙ガス導出をしながら、装置の迅速な作業を実現する。
【００２３】
平滑化スライダに設けられた少なくとも１つの吸引ノズルは、好ましくは、可動でフレキシブルな管路またはテレスコピック管路を介して吸い出し装置の外部の吸引源に接続されている。
【００２４】
好ましい一変化態様によれば、吸引ノズルは、吸引ノズルの移動方向に対して横方向に造形エリアの少なくとも略全幅にわたって延在する幅を有するワイドノズル形状を呈している。
【００２５】
一実施の形態によれば、ワイドノズル内には、複数の小さなノズル通路が相並んで設けられていてもよい。本実施の形態の一変化態様によれば、このようなノズル通路は、個々にまたはグループ毎に別々にプロセス制御装置のコントロール下でオン／オフされ得る。
【００２６】
吸引ノズルは、好ましくは、平滑化スライダが造形エリア上を移動するとき、平滑化スライダに付き従うように配置されている。
【００２７】
好ましくは、吸引ノズルは、平滑化スライダが停止状態でも吸引運転で運転可能である。その際、平滑化スライダは、造形エリア上のあるポジションに留置されていてよい。平滑化スライダは、吸引ノズルが作動しているとき、造形エリアの側方にパーキングされていてもよい。
【００２８】
好ましくは、平滑化スライダは、造形エリアにわたっての水平の第１の方向での移動時も、造形エリアにわたっての第１の移動とは反対の方向での移動時も、最後に照射された層上のその都度の量の素材粉末を均して平坦化すべく運転可能であるように構成されており、吸引ノズル装置も、吸い出し運転中、平滑化スライダの移動方向によらず運転可能であるように構成されている。これにより、装置の運転の柔軟性は、改善される。
【００２９】
本発明のさらに好ましい一実施の形態は、平滑化スライダが、様々な平滑化スライダ要素、すなわち、均して平坦化する運転時の平滑化スライダの移動方向で相次いで、少なくとも１つのブラシ要素と、少なくとも１つのブレード要素と、略平らな水平の下側の払拭面を有する少なくとも１つのゴム状の要素、特にシリコーン要素とを有することを特徴とする。このような平滑化スライダは、極めて良好に機能することが判明している。特に平滑化スライダ要素は、それぞれ２つ組に略対称的な配置で平滑化スライダに設けられていてよく、さらに、少なくとも１つの吸引ノズルに対しては、この吸引ノズルに対して少なくとも略対称的な配置で少なくとも１つの別の吸引ノズルが設けられている。平滑化スライダおよび吸引ノズルアッセンブリのこの種の構成により、平滑化スライダの往復走行時、同じ条件が均しプロセスのために維持され、かつ実質的に吸い出しプロセスのためにも維持され得ることが達成される。
【００３０】
好ましくは、平滑化スライダ要素間の中央に、素材粉末を支持体上に平滑化スライダの移動中投下する粉末放出装置が存在している。
【００３１】
好ましくは、粉末放出装置は、平滑化スライダおよび少なくとも１つの吸引ノズルに連動するように連結されており、平滑化スライダおよび吸引ノズルの駆動装置は、同時に、粉末放出装置を移動させる粉末放出装置の駆動装置でもある。
【００３２】
吸引ノズルおよび平滑化スライダのフレームが共通である場合、好ましくは、粉末放出装置は、少なくとも１つの吸引ノズルおよび平滑化スライダに共通のフレームを介して連結されている。
【００３３】
平滑化スライダが変位装置により相対的に鉛直方向で変位可能である場合、好ましくは、粉末放出装置は、平滑化スライダとともに変位装置により共通のフレームに対して相対的に鉛直方向で変位可能である。
【００３４】
一般に、粉末放出装置が、平滑化スライダおよび少なくとも１つの吸引ノズルと連動するように平滑化スライダおよび吸引ノズルに連結されている場合、２つ組に平滑化スライダ要素および吸引ノズルを有する前述の対称的な配置が有利であって、特にこの対称的な配置は、粉末放出装置に関して対称であり、かつ／または粉末放出装置は、平面図で見て、対称である２つ組に平滑化スライダに設けられた平滑化スライダ要素の対称軸線に接し、かつ／または粉末放出装置は、平滑化スライダ要素間の中央にある。
【００３５】
吸引ノズル装置は、装置の照射運転中、普通、その都度の溶融領域の近傍にポジショニングされているので、イメージセンサ装置、例えばＣＣＤセンサアレイまたは相応のカメラを配置するのに特に好適であり、イメージセンサ装置は、この溶融領域を撮影するように方向付けられており、ひいては溶融工程または／および粉末準備装置の分析に使用され得る。イメージセンサ装置は、例えば、好ましくはワイヤレスのウェブカメラであってもよい。本発明の一実施の形態では、少なくとも１つのこのようなイメージセンサ装置が設けられている。画像は、画面モニタに出力されてもよい。必要であれば、場合によっては自動的な修正、例えば放射源の強度の調整を行うことができるように、画像情報を例えばプロセス制御装置により自動的に評価する可能性もある。このためにスペクトル分解イメージングシステムが存在していてもよい。
【００３６】
さらに付言すると、吸引ノズル装置を有する吸い出し装置は、素材粉末を加熱する放射源の支持体としても好適である。それというのも、吸い出し装置は、運転上、溶融領域の近傍にポジショニングされており、ひいては吸い出し装置に配置された放射源は、近距離で溶融領域を照射し、これにより加熱することが可能であるからである。これらの放射源は、好ましくは付加放射源、例えば高出力赤外線照射器である。
【００３７】
さらなる拡張形において、このような放射源は、場合によっては造形プロセスのための主放射源としても、またはそれどころか単一の放射源としても、可動の吸い出し装置、あるいは吸引ノズル装置と層準備装置とからなる構成群に、例えば放射源マトリックスまたはレーザ装置として配置されていてもよい。
【００３８】
本発明の興味深い一発展形によれば、装置は、少なくとも１つのシールドガス吹き込みノズルを有する、プロセス室内でモータにより可動のシールドガス吹き込み装置を備えている。好ましくは、シールドガス吹き込み装置は、吸引ノズル装置に連動するように連結されており、その結果、シールドガス吹き込み装置の少なくとも１つのシールドガスブローノズルと、吸引ノズル装置の少なくとも１つの吸引ノズルとは、大きすぎない間隔を互いに有している。吸引ノズルによりプロセス煙とともに吸い出されるシールドガスは、これにより完全にまたは部分的にシールドガスブローノズルによりプロセス室内で置換することができ、その結果、その際に発生するガス流は、プロセス室ハウジングの可及的小さな領域に特に作用する。
【００３９】
さらに、吹き込まれるシールドガス、例えばアルゴンは、プロセス煙をプロセス室の特定箇所から遠ざけ、特に吸引ノズルに向かって追いやる。
【００４０】
特に吸引ノズル装置とともにプロセス室内でモータにより可動のシールドガス吹き込み装置の態様には、独立した発明の意義があり得る。
【００４１】
本発明の実施例について、以下に図面を参照しながら詳しく説明する。
【図面の簡単な説明】
【００４２】
【図１】本発明による物品を製造する装置を正面からプロセス室内を見た概略断面図であって、新しい上位の素材粉末層を準備する運転状態にある平坦化兼平滑化装置を示す図である。
【図２】図１に相当する描写の仕方で、予め準備された最上位の素材粉末層に対して場所選択的に照射を行い、プロセス煙吸い出しを行っている運転状態にある、物品を製造する装置を示す図である。
【図３】図１あるいは図２に相当する描写の仕方で、上位の素材粉末層の準備と、この素材粉末層が既に完成した箇所でのこの層の照射と、プロセス煙の吸い出しとを同時に行う特別運転形態にある、物品を製造する装置を示す図である。
【図４】本発明の別の一実施例のコンポーネントの概略斜視図である。
【図５】図１ないし３に相当する描写の仕方で本発明の別の一実施例を示す図である。
【００４３】
図１に示す説明に用いるスケッチは、粉末４を層状に積み上げて造形することで物品２を製造する枠内での粉末層準備ステップの一瞬を捉えたものである。粉末４の例は、例えば１０μｍ〜６０μｍの粒度を有するチタン粉末、または相応の粒度の鋼粉末である。物品２の積み上げ造形は、プロセス室８内で実施され、プロセス室８は、プロセス室ハウジングにより画定されている。プロセス室８内は、プロセス室８を通るシールドガス回路（図示せず）が維持され、シールドガス雰囲気、好ましくはアルゴン雰囲気が支配している。物品２の層状の積み上げ造形は、支持体プラットフォーム１４上で実施される。支持体プラットフォーム１４は、鉛直方向駆動ユニットにより制御されて鉛直方向で可動であり、鉛直方向で様々な位置に調整可能、つまりポジショニング可能である。平坦化兼平滑化装置１３を有する粉末層準備装置１２は、その都度後続する素材粉末層７を支持体１４上に準備するために用いられる。粉末層準備装置１２は、図１で見て左から右に、そして右から左に造形エリア全体にわたって、ひいては支持体１４全体にわたって走行可能である。粉末層準備装置１２は、中央に、図平面に対して横方向に造形エリア全体にわたって延在する粉末放出リザーバ１７を有し、粉末放出リザーバ１７から素材粉末を、新しい上位の粉末層７を造形エリアに形成すべく、層準備装置１２の移動中、投下することができる。粉末放出リザーバ１７の左右に、層準備装置１２は、平滑化スライダ１５のところに、対称的な配置でそれぞれ３つの様々な平滑化スライダ要素２０，２２，２４を有している。平滑化スライダ要素２０は、プラスチックブラシである。平滑化スライダ要素２２は、刃先を下にした金属のブレードである。平滑化スライダ要素２４は、平らな払拭面を下に有するシリコーンブロックである。粉末積層工程中、平滑化スライダ１５の移動方向で粉末放出リザーバ１７に付き従うそれぞれ３つの積層要素２０，２２，２４が作用する。積層要素２０，２２，２４は、支持体１４上に生じつつある新しい上位の粉末層７の、平滑化された平らで一様な素材粉末表面を提供する。層準備装置１２は、左から右に造形エリア上を移動するときも、右から左に造形エリア上を移動するときも、最上位の粉末層７を準備するために運転可能であるので、払拭要素２０〜２４のセットは、層準備装置１２の移動方向に応じて使用される。
【００４４】
図１に示す描写では、層準備装置１２は、平滑化スライダ１５とともに左から右に移動しており、上位の粉末層７を形成しているところである。
【００４５】
図１〜３において、符号３２は、層準備装置１２用の支持兼案内レールを指している。このレール３２は、プロセス室の背壁に沿って水平方向に延在している。レール３２は、層準備装置１２の電気モータ式の駆動装置３４の駆動輪がレール３２に沿って転動可能であることにより、この駆動装置３４とも協働し、而して層準備装置１２の送りをプロセス制御装置５のコントロール下で発生させることができる。
【００４６】
粉末層準備装置１２が支持体１４にわたって走行させられ、粉末層７を後にすると直ちに、既に粉末リザーバ１７から出た余分な粉末は、オーバフロー開口４５を通して粉末集合容器４６内に落下することができる。粉末放出リザーバ１７は、予め閉鎖可能であり、その結果、粉末放出リザーバ１７内に存在する粉末は、次なる粉末層準備工程のために準備可能である。
【００４７】
図２は、物品の製造に際して図１に示した粉末層の準備が既に終わっており、今やこの粉末層７の場所選択的な照射が、製造したい物品の、この層に割り当てられた横断面領域において実施される運転状態にある、物品を製造する装置を示している。このために照射装置４０，４２が設けられており、照射装置４０，４２は、レーザ４０と、制御可能なビーム偏向装置（スキャナ）４２とを有している。照射装置４０，４２により、造形エリア上のすべての点に、プロセス制御装置５による制御にしたがい照射装置４０，４２のレーザビーム２９が到達可能である。符号２７のところに、レーザビーム２９の只今の衝突点、ひいては粉末溶融点が存在している。そこでは、素材粉末４の溶融が只今行われている。その際、通常は、煙ガス３１および場合によっては火花飛散が生じる。この煙ガス３１および場合によっては生じる火花または溶融飛散物の少なくとも大部分を捕捉するために、吸引ノズル装置３３が用いられる。吸引ノズル装置３３は、平滑化スライダ１５のフレーム１８に配置される２つの吸引ノズル３５を有している。吸引ノズル３５は、ワイドノズルであり、ワイドノズルは、図紙面に対して横方向に造形エリアの少なくとも略全幅にわたって延在しており、平滑化スライダ要素２０〜２４の側方外側において平滑化スライダ１５のフレームに配置されて側方外側に向かって方向付けられたノズル開口３７を有している。代替的には、ワイドノズルは、相並んで配置された個々のノズルの列に置換されていてもよい、またはこのような個々のノズルの列を含んでいてもよい。吸引ノズル装置３３によりプロセス室８からともに吸い出されたシールドガスは、（図示しない）シールドガス供給部を介して絶えず置換される。この置換は、シールドガス濾過・再循環プロセスの枠内で行われ得る。
【００４８】
図２には、平滑化スライダ１５の左側に配置された吸引ノズル３５が、煙ガス３１および場合によっては生じる火花を溶融場所から捕捉することができるように、只今の溶融箇所２７の近傍にポジショニングされていることが看取可能である。プロセス制御装置５は、ビーム偏向装置４２と、層準備装置１２および吸引ノズル装置３３からなる構成群１２，３３の移動とを相応に制御することによって、レーザビーム２９と構成群１２，３３とが互いに重なってしまわないようにしている。粉末層準備装置１２の駆動装置３４は、同時に吸引ノズル装置３３の駆動装置でもある。それというのも、粉末層準備装置１２と吸引ノズル装置３３とは、駆動装置３４により案内レール３２に沿って駆動され得る１つの共通のフレーム１８を介して連結されているからである。
【００４９】
符号４７を溶融飛散物用のそれぞれの受け板に付してある。受け板４７は、それぞれの吸引ノズル３５の下に取り付けられており、その結果、吸引ノズル３５の縁部を越えて外側に向かって突出している。受け板４７は、粉末床の上方に例えば０．５ｍｍ〜２ｍｍの極めて小さな間隔を置いて延在している。この種の受け板が、吸引ノズル３５の吸引作用により該当する方向に移動される溶融飛散物を集めるのに極めて良好に好適であることが判明している。
【００５０】
符号４８をそれぞれのイメージセンサ装置、例えばワイヤレスのウェブカメラに付してある。イメージセンサ装置４８は、ノズル開口３７の近傍で構成群１２，３３に配置されて、造形エリアに向けられているので、これにより、それぞれの溶融領域２７を観察することが可能である（溶融池分析）。こうして、粉末層７を作成する際に粉末層７の品質も監視することが可能である。
【００５１】
素材粉末層７を照射する作業ステップが実施された後、支持体１４は、次に続く素材粉末層の厚さの分だけ下降でき、その結果、その後、粉末層準備装置１２は、次なる最上位の素材粉末層７を準備することができ、このステップは、場合によってはプロセス室８の右端から左端へ後退する際に実施される。
【００５２】
平滑化スライダ１５は、（図示しない）変位装置により制御されて鉛直方向に少量変位可能である。図１に示す粉末層準備時、平滑化スライダ１５は、その下降位置にある。図２に示す照射工程時、平滑化スライダ１５は、その上昇位置にある。
【００５３】
図３は、特別モードを示しており、この特別モードでは、物品を製造する装置が、最上位の粉末層７を準備すると同時に、層が既に完成した箇所では、層に対して場所選択的にレーザビーム２９を照射し、それぞれのビーム衝突点２７の近傍において、プロセス煙３１および場合によっては火花飛散を吸引ノズル装置３３により吸い出している運転状態にある。図３には、層準備装置１２が平滑化スライダ１５とともに左から右に移動している状況も示されている。
【００５４】
層準備装置１２がその平滑化スライダ１５とともに既に通過した後方の領域２５では、照射装置４０，４２が、既に上位の素材粉末層７の場所選択的な照射を開始し、そこでは粉末４が、成形体２の幾何学形状の設定にしたがいその限りにおいて溶融されている。粉末層準備プロセスと、プロセス煙および溶融飛散物の吸い出しを含む最上位の層７の選択的な照射とは、これにより装置のこの特別モードにおいて同時に実施され得る。
【００５５】
図４には、本発明の別の一実施例の個々のコンポーネントを、斜め上方から造形エリアを見た斜視図で示してある。図４に示した実施例は、前述の実施例と同様、粉末層準備装置１１２と吸引ノズル装置１３３とからなる、モータにより可動の構成群１１２，１３３を有している。図４は、この構成群を上部後方から見た斜視図で示している。図４では、符号１４２ａ〜１４２ｄを、それぞれのビーム偏向装置を有する４つの異なる照射サブシステムに付してある。これらのサブシステム１４２ａ〜１４２ｄの各々は、固有のレーザビーム１２９ａ，１２９ｂ，１２９ｃあるいは１２９ｄを造形エリアに向け、これにより、制御された形で、予め準備された最上位の素材粉末層の粉末を、製造したい１つの物品の幾何学形状描写データにしたがい、または場合によっては、同時に複数の物品が製造されることが望ましければ、製造したい複数の物品の幾何学形状描写データにしたがい、溶融させることができる。照射サブシステムは、プロセス制御装置による動作制御に応じて個々に、グループ毎にまたはすべて一緒に同時に運転され得る。このことは、造形エリアが大きくても省時間の加工を可能にする。吸引ノズルは、構成群１１２，１３３の両側で同時に運転されてもよい。
【００５６】
図４に示した実施例の運転は、基本的には、予め既に本発明の第１の実施例に関して説明した運転に応じて実施され得る。しかし、図４に示した実施例の場合、制御部は、レーザビームが複数存在することを考慮しなければならない。
【００５７】
図５は、本発明の別の一実施例を図１〜３の描写の仕方に応じた描写の仕方で示している。図１〜３に示した実施例のコンポーネントあるいは要素に具象的または機能的に実質的に相当する、図５に示した実施例のコンポーネントおよび要素は、図５において、相応に同じ符号の後に小文字のアルファベットａを付して示したので、以下では、図５に示した実施例を説明するために、主として、図５に示した実施例と、図１〜３の先の実施例との相違点について立ち入ることとする。
【００５８】
図５に示した実施例の特徴は、吸引ノズル装置３３ａと粉末層準備装置１２ａとが互いに分離されていることである。図５は、既に前もって粉末層準備装置１２ａにより準備された粉末層７ａに対して場所選択的な照射を行っている運転状態にある本発明に係る装置の一瞬を捉えたものである。粉末層準備装置１２ａは、図５ではパーキング状態で造形エリアの右隣に存在している。
【００５９】
符号２７ａのところに、レーザビーム２９ａの只今の衝突点、ひいては粉末溶融点が存在している。そこでは、素材粉末４ａの溶融が只今行われている。その際に生じる煙ガス３１ａおよび場合によっては生じる火花あるいは溶融飛散物の少なくとも大部分を捕捉するために、吸引ノズル装置３３ａが用いられる。吸引ノズル装置３３ａは、吸引ノズル開口３７ａを有する吸引ノズル３５ａを有している。図５には、吸引ノズル装置３３ａが只今右向きに移動していることを略示してある。吸引ノズル装置３３ａの左側に配置された吸引ノズル３５ａは、只今溶融箇所２７ａの近傍にポジショニングされており、その結果、煙ガス３１ａおよび場合によっては生じる火花を最適に捕捉することができる。プロセス制御装置５ａは、ビーム偏向装置４２ａと、吸引ノズル装置３３ａの移動とを相応に制御することによって、レーザビーム２９ａと吸引ノズル装置３３ａとが互いに重なってしまわないようにしている。
【００６０】
図５に示す実施例の有利な特徴は、吸引ノズル装置３３ａとともに可動のシールドガス吹き込み装置５０である。図５には、シールドガス吹き込み装置５０が吸引ノズル装置３３ａに連動するように連結された好ましい実施の形態を示してある。しかし、改変した実施の形態では、シールドガス吹き込み装置５０は、制御装置５ａにより制御可能な固有の駆動手段を有し、ひいては独立的に可動であってもよい。
【００６１】
シールドガス吹き込み装置５０は、２つのシールドガスブローノズル５２を有し、シールドガスブローノズル５２により、シールドガス５４はプロセス室８ａ内に導入可能である。このシールドガスは、完全にまたは部分的に、吸引ノズル装置３３ａによりその都度プロセス煙３１ａとともに吸い出されたシールドガスを置換することができる。しかし、プロセス室８ａへのさらに別のシールドガス供給部、特に定置のシールドガス供給部が設けられていてもよい。このことは、シールドガス排出部についても当てはまる。
【００６２】
図５に示した状況では、ビーム衝突点２７ａに直接隣接する左側の吸引ノズル３５ａが、プロセス煙３１ａおよび場合によっては溶融飛散物を吸い出すために作動している。同時にシールドガス吹き込み装置５０の右側のシールドガスブローノズル５２が、作動中の吸引ノズル３５ａに向かってシールドガスを吹くために只今作動している。こうして、煙ガスが、吸引ノズル装置３３ａとシールドガス吹き込み装置５０とからなる構成群の下の領域に到達することは、回避される傾向にある。
【００６３】
ノズル３５ａおよび５２は、制御装置５ａにより制御可能であり、その結果、所望の運転形態に応じて１つ、２つ、３つまたはすべてのノズル３５ａ，５２をオンにすることが可能である。
【００６４】
ここで念のため付言しておくと、図１〜５に示した実施例の組み合わせも可能である。而してシールドガス吹き込み装置は、例えば吸引ノズル装置および層準備装置に連動するように連結されていてもよい。
【００６５】
図５に示した簡単化された実施例では、特に示してはいないが、一方では、構成群３３ａ，５０と、他方では、１２ａとが、入れ替え箇所で互いにすれ違うことができ、その結果、層準備装置１２ａは、常に吸い出し装置３３ａとシールドガス吹き込み装置５０とからなる構成群の前に、プロセス室８ａ内での移動方向によらず作動させられ得る。シールドガスとして考えられるのは、特に希ガス、例えばアルゴンである。
【図１】
2021515101.tif 000003
【図２】
2021515101.tif 000004
【図３】
2021515101.tif 000005
【図４】
2021515101.tif 000006
【図５】
2021515101.tif 000007
【手続補正書】
【提出日】令和1年6月4日(2019.6.4)
【手続補正１】
【補正対象書類名】特許請求の範囲
【補正対象項目名】全文
【補正方法】変更
【補正の内容】
【特許請求の範囲】
【請求項１】
プロセス室（８）内で粉末状の素材（４）を層状に積み上げて造形することで成形体（２）を製造する装置であって、
プロセス制御装置（５）と、
層積み上げ造形用の支持体（１４）と、
前記支持体（１４）上にその都度目下最上位に準備された素材粉末層（７）に対して、前記成形体（２）の、前記層（７）に割り当てられた横断面領域において、放射（２９）を照射する照射装置（４０，４２）であって、前記放射（２９）は、前記素材粉末（４）を前記横断面領域で加熱により溶融または場合によっては焼結させる照射装置（４０，４２）と、
その都度追って照射すべき素材粉末層（７）を前記支持体（１４）上に準備する平坦化兼平滑化装置（１３）であって、素材粉末層（７）を形成すべく、前記支持体（１４）上のその都度の量の素材粉末（４）を均して平坦化する、モータにより可動の少なくとも１つの平滑化スライダ（１５）を有する平坦化兼平滑化装置（１３）と、
プロセス煙を前記プロセス室（８）から吸い出す吸引ノズル装置（３３）を有する吸い出し装置であって、前記吸引ノズル装置（３３）の少なくとも１つの吸引ノズル（３５）は、駆動装置（３４）により前記プロセス室（８）内で可動であり、前記吸引ノズル（３５）は、移動の際、前記照射装置（４０，４２）が、前記支持体（１４）上に目下準備されたそれぞれの前記素材粉末層（７）に対して照射を行うべく作動している間、吸引運転で運転可能である吸い出し装置と、
を備える、成形体（２）を製造する装置において、
前記平滑化スライダ（１５）は、照射のその都度の目下の場所に対して相対的に可動であり、前記プロセス室（８）内で可動の少なくとも１つの前記吸引ノズル（３５）は、前記平滑化スライダ（１５）に連動するように連結されており、前記吸引ノズル（３５）の前記駆動装置（３４）は、同時に、前記平滑化スライダ（１５）を移動させる前記平滑化スライダ（１５）の駆動装置でもある、
ことを特徴とする、成形体（２）を製造する装置。
【請求項２】
前記プロセス室（８）内で可動の少なくとも１つの前記吸引ノズル（３５）と、前記平滑化スライダ（１５）とは、１つの共通のフレーム（１８）を介して連結されており、好ましくは、前記駆動装置（３４）は、前記共通のフレーム（１８）を駆動することを特徴とする、請求項１記載の装置。
【請求項３】
前記平滑化スライダ（１５）は、変位装置により前記共通のフレーム（１８）に対して相対的に鉛直方向で変位可能であることを特徴とする、請求項２記載の装置。
【請求項４】
前記プロセス制御装置（５）は、プロセス制御モードにおいて、前記照射装置（４０，４２）の作業形式と、前記吸い出し装置の作業形式とを互いに調整して、プロセス煙を吸い出すために作動している前記吸引ノズル（３５）と、前記粉末層（７）の照射のその都度の目下の場所（２７）との間のその都度の間隔ができる限り小さく、所定の最大値を超過しないように構成されていることを特徴とする、請求項１から３までのいずれか１項記載の装置。
【請求項５】
前記プロセス制御装置（５）は、プロセス煙を吸い出すために作動している前記吸引ノズル（３５）の移動を制御して、プロセス煙を吸い出すために作動している前記吸引ノズル（３５）と、前記粉末層（７）の照射のその都度の目下の場所（２７）との間のその都度の間隔ができる限り小さく、所定の最大値を超過しないように構成されていることを特徴とする、請求項１から４までのいずれか１項記載の装置。
【請求項６】
前記照射装置（４０，４２）は、前記放射（２９）としてレーザビーム（２９）を発生させるレーザ（４０）と、ビーム偏向装置（４２）とを有し、前記プロセス制御装置（５）は、前記ビーム偏向装置（４２）と、平坦化兼平滑化装置（１３）および吸引ノズル装置（３３）を有する構成群（１２，３３）の移動とを制御して、前記レーザビーム（２９）と前記構成群（１２，３３）とが互いに重ならないように構成されていることを特徴とする、請求項１から５までのいずれか１項記載の装置。
【請求項７】
少なくとも１つの前記吸引ノズル（３５）は、可動でフレキシブルな管路（３６）または／およびテレスコピック管路を介して前記吸い出し装置の外部の吸引源に接続されていることを特徴とする、請求項１から６までのいずれか１項記載の装置。
【請求項８】
少なくとも１つの前記吸引ノズル（３５）は、前記支持体（１４）の幅に少なくとも略相当する幅を有するワイドノズル形状を呈することを特徴とする、請求項１から７までのいずれか１項記載の装置。
【請求項９】
前記吸引ノズル（３５）は、前記平滑化スライダ（１５）が前記支持体（１４）上をその都度の量の素材粉末（４）を均して平坦化すべく移動するとき、最後に照射される前記層にわたって前記平滑化スライダ（１５）に付き従うように配置されていることを特徴とする、請求項１から８までのいずれか１項記載の装置。
【請求項１０】
前記吸引ノズル（３５）は、前記平滑化スライダ（１５）が停止状態でも吸引運転で運転可能であることを特徴とする、請求項１から９までのいずれか１項記載の装置。
【請求項１１】
前記平滑化スライダ（１５）は、前記支持体にわたっての水平の第１の方向での移動時も、前記支持体（１４）にわたっての前記第１の方向とは反対の方向での移動時も、その都度の量の素材粉末（４）を均して平坦化すべく運転可能であるように構成されており、前記吸引ノズル装置（３３）も、吸い出し運転中、前記平滑化スライダ（１５）の移動方向によらず運転可能であるように構成されていることを特徴とする、請求項１から１０までのいずれか１項記載の装置。
【請求項１２】
前記平滑化スライダ（１５）は、様々な平滑化スライダ要素（２０，２２，２４）、すなわち、均して平坦化する運転時の前記平滑化スライダ（１５）の移動方向で相次いで、少なくとも１つのブラシ要素（２０）と、少なくとも１つのブレード要素（２２）と、平らな水平の下側の払拭面を有する少なくとも１つのゴム状の要素（２４）とを有することを特徴とする、請求項１から１１までのいずれか１項記載の装置。
【請求項１３】
前記平滑化スライダ要素（２０，２２，２４）は、それぞれ２つ組に対称的な配置で前記平滑化スライダ（１５）に設けられており、少なくとも１つの前記吸引ノズル（３５）に対しては、この吸引ノズル（３５）に対して対称的な配置で少なくとも１つの別の吸引ノズル（３５）が設けられていることを特徴とする、請求項１２記載の装置。
【請求項１４】
前記平滑化スライダ（１５）および少なくとも１つの前記吸引ノズル（３５）には、粉末放出装置（１７）が連動するように連結されており、前記平滑化スライダ（１５）および前記吸引ノズル（３５）の前記駆動装置（３４）は、同時に、前記粉末放出装置（１７）を移動させる前記粉末放出装置（１７）の駆動装置でもあることを特徴とする、請求項１から１３までのいずれか１項記載の装置。
【請求項１５】
前記粉末放出装置（１７）は、少なくとも１つの前記吸引ノズル（３５）および前記平滑化スライダ（１５）に前記共通のフレーム（１８）を介して連結されていることを特徴とする、請求項２を直接的または間接的に引用する請求項１４記載の装置。
【請求項１６】
前記粉末放出装置（１７）は、前記平滑化スライダとともに前記変位装置により前記共通のフレーム（１８）に対して相対的に鉛直方向で変位可能であることを特徴とする、請求項３を間接的に引用する請求項１５記載の装置。
【請求項１７】
前記対称的な配置は、前記粉末放出装置（１７）に関して対称であり、かつ／または前記粉末放出装置（１７）は、平面図で見て、対称である２つ組に前記平滑化スライダ（１５）に設けられた前記平滑化スライダ要素（２０，２２，２４）の対称軸線に接し、かつ／または前記粉末放出装置（１７）は、前記平滑化スライダ要素（２０，２２，２４）間の中央にあることを特徴とする、請求項１１を直接的または間接的に引用する請求項１４記載の装置または請求項１１を間接的に引用する請求項１５または１６記載の装置。
【請求項１８】
前記プロセス室（８）内にシールドガス雰囲気を発生させる装置を備えることを特徴とする、請求項１から１７までのいずれか１項記載の装置。
【請求項１９】
可動の前記吸引ノズル（３５）には、溶融飛散物用の受け板（４７）が連結されており、前記受け板（４７）は、前記吸引ノズル（３５）の下で吸引ノズル（３５）を越えて外側に向かって突出していることを特徴とする、請求項１から１８までのいずれか１項記載の装置。
【請求項２０】
前記照射装置（４０，４２）は、前記プロセス制御装置（５）により制御可能な複数の照射サブシステム（１４２ａ〜１４２ｄ）を有し、前記照射サブシステム（１４２ａ〜１４２ｄ）は、その都度目下照射すべき前記素材粉末層（７）の様々な箇所で素材粉末を場所選択的に溶融させるべく、同時に運転可能であることを特徴とする、請求項１から１９までのいずれか１項記載の装置。
【請求項２１】
前記吸引ノズル装置（３３）の近傍にイメージセンサ装置（４８）が配置され、前記吸引ノズル装置（３３）とともに可動であり、前記イメージセンサ装置（４８）は、それぞれの溶融領域（２７）を画像として検出するように運転可能であることを特徴とする、請求項１から２０までのいずれか１項記載の装置。
【請求項２２】
前記吸引ノズル装置（３３）の近傍に放射加熱装置が配置され、前記吸引ノズル装置（３３）とともに可動であり、前記放射加熱装置は、前記素材粉末（４）をそれぞれの溶融領域（２７）で加熱するように運転可能であることを特徴とする、請求項１から２１までのいずれか１項記載の装置。
【請求項２３】
少なくとも１つのシールドガスブローノズル（５２）を有する、前記プロセス室（８ａ）内でモータにより可動のシールドガス吹き込み装置（５０）をさらに備えることを特徴とする、請求項１から２２までのいずれか１項記載の装置。
【請求項２４】
前記シールドガス吹き込み装置（５０）は、前記吸引ノズル装置（３３ａ）に連動するように連結されていることを特徴とする、請求項２３記載の装置。
【請求項２５】
少なくとも１つの前記シールドガスブローノズル（５２）は、前記吸引ノズル装置（３３ａ）の少なくとも１つの前記吸引ノズル（３１ａ）に向けられていることを特徴とする、請求項２３または２４記載の装置。
【国際調査報告】
2021515101.tif 000008
2021515101.tif 000009
2021515101.tif 000010
2021515101.tif 000011
2021515101.tif 000012
2021515101.tif 000013